(57)【要約】【課題】映像からクリップを抽出するときの操作性を向上させ，映像を連続して再生しながら効率よく編集作業を行うことができるようにする。【解決手段】映像内容を提示する画面に，映像再生制御エリアとクリップ指定エリアとを設け，映像再生制御部１６は，映像再生制御エリア内でポインティングされた位置に基づいて映像の再生方法を決定し，クリップ選定部１７は，クリップ指定エリア内外のポインティング位置の判定によってクリップの開始点または終了点を設定する。これにより，利用者要求受付部１５で受け付けた利用者からの１回の指示に基づいて，映像再生方法の決定およびクリップの開始点または終了点の設定を実現する。【選択図】図１
2012049840.tif 000002
【特許請求の範囲】
【請求項１】
編集対象の映像内容を再生により提示し，提示した映像における特定の時間区間であるクリップを選定して映像を編集する映像編集装置において，
映像編集用の画面においてポインティングされた位置によって，映像の再生方法とクリップの設定とに関する利用者からの指示を受け付ける利用者要求受付手段と，
前記ポインティングされた位置によって映像の再生方法を制御する映像再生制御手段と，
前記ポインティングされた位置と再生中の映像の時刻によって映像の特定の時間区間であるクリップを選定するクリップ選定手段とを備え，
前記利用者要求受付手段で受け付けた利用者からの１回の指示に対して，前記映像再生制御手段による映像再生方法の決定と，前記クリップ選定手段によるクリップの開始点または終了点の設定とが共に行われるポインティング対象のエリアが，前記映像編集用の画面内に設けられている
ことを特徴とする映像編集装置。
【請求項２】
請求項１記載の映像編集装置において，
前記映像編集用の画面において，映像の再生方法を指定するためのポインティングが行われる映像再生制御エリアと，前記映像再生制御エリア内にクリップ選定のためのポインティングが行われるクリップ指定エリアとが予め設定され，
前記映像再生制御手段は，前記映像再生制御エリア内でポインティングされた位置に基づいて映像の再生方法を決定し，
前記クリップ選定手段は，前記クリップ指定エリア外の位置がポインティングされた直後に前記クリップ指定エリア内の位置がポインティングされたときに，再生されている映像時刻をクリップの開始点とし，前記クリップ指定エリア内の位置がポインティングされた直後に前記クリップ指定エリア外の位置がポインティングされたときに再生されている映像時刻をクリップの終了点として設定する
ことを特徴とする映像編集装置。
【請求項３】
利用者からの指示を受け付ける利用者要求受付手段と，映像の再生方法を制御する映像再生制御手段と，映像の特定の時間区間であるクリップを選定するクリップ選定手段とを備える映像編集装置が実行する映像編集方法であって，
前記利用者要求受付手段が，映像編集用の画面においてポインティングされた位置によって，映像の再生方法とクリップの設定とに関する利用者からの指示を受け付ける過程と，
前記映像再生制御手段が，前記ポインティングされた位置によって映像の再生方法を制御する過程と，
前記クリップ選定手段が，前記ポインティングされた位置と再生中の映像の時刻によって映像の特定の時間区間であるクリップを選定する過程とを有し，
かつ，前記ポインティングされた位置が，前記映像編集用の画面内に予め設定された特定のエリア内である場合に，前記利用者要求受付手段が受け付けた利用者からの１回の指示に対して，前記映像再生制御手段が映像再生方法を決定するとともに，前記クリップ選定手段がクリップの開始点または終了点の設定を行う
ことを特徴とする映像編集方法。
【請求項４】
コンピュータを，請求項１または請求項２記載の映像編集装置が備える手段として機能させるための映像編集プログラム。
【請求項５】
コンピュータを，請求項１または請求項２記載の映像編集装置が備える手段として機能させるための映像編集プログラムを記録したコンピュータ読み取り可能な記録媒体。
【発明の詳細な説明】
【技術分野】
【０００１】
本発明は，素材となる映像から編集映像に取り込むクリップをマニュアル操作で指定し，指定したクリップを連結することで映像を編集する映像編集技術に関する。
【背景技術】
【０００２】
映像編集は，素材映像から編集映像に取り込む特定の時間区間であるクリップを選定する処理と，選定したクリップの再生順序の決定やテロップ・音声・音楽の付与などを行う処理の大きく２つの工程からなる。前半のクリップを選定する処理の一般的な操作手順は，以下のとおりである。
・手順１：素材映像のファイルを開く。
・手順２：素材映像を再生し，内容を確認しながら編集映像に採用したい区間であるクリップの開始点をサーチして映像再生を一時停止する。
・手順３：クリップの開始点を設定する。
・手順４：素材映像を再生し，内容を確認しながらクリップの終了点をサーチして，映像再生を一時停止する。
・手順５：クリップの終了点を設定する。
・手順６：上記の手順１から手順５の操作を繰り返し，必要な数だけクリップを作成する。
【０００３】
従来の映像編集装置においてクリップを選定するときには，実際に映像を再生して内容を確認する作業が必須となる。この作業を効率よく行うには，高速再生やスロー再生を行う映像再生制御が重要である。非特許文献１では，４つの映像編集ソフトウエアが紹介されているが，それらのすべてのソフトウエアにおいて，選択された素材映像の早送り，巻き戻し，スロー再生などのボタンのクリックやスライダーバーでプレビューして，映像の内容を確認しながらクリップの開始点や終了点を登録するユーザインタフェースが提供されている。
【先行技術文献】
【非特許文献】
【０００４】
【非特許文献１】ビデオサロン，玄光社，vol.56，７月号，pp.32-39，2008
【発明の概要】
【発明が解決しようとする課題】
【０００５】
従来の映像編集装置では，映像の再生制御と，クリップの指定を別々の操作で行う必要があるので，操作の回数が多くなる。また，映像再生からクリップ指定の操作に移行するときに映像再生を一時停止させる必要があり，映像を連続して再生しながら効率よく編集作業を行うことができない。
【０００６】
特に映像編集方法として，編集映像の構成を事前に決めてから必要な素材映像を収集するのではなく，素材となる映像を入手してから，その入手した映像の内容を確認しながらどのような編集映像を作成するかを検討するような場合には，映像再生制御を行いながら映像の内容を把握することとクリップの指定とを試行錯誤で行うことになる。このような場合，従来技術は操作の回数が多くなるという問題，また，映像を連続して再生しながら効率よく編集作業を行うことができないという問題があった。
【０００７】
本発明は，上記課題の解決を図り，映像からクリップを抽出するときの操作性を向上させ，映像を連続して再生しながら効率よく編集作業を行うことができるようにすることを目的とする。
【課題を解決するための手段】
【０００８】
本発明は，上記の課題を解決するために，従来技術の操作手順において，
（１）手順２と手順３とを同一の操作で行える，
（２）手順４と手順５とを同一の操作で行える，
（３）手順２から手順６までの操作を映像の一時停止なしで行える，
ことを実現する手段を設ける。
【０００９】
すなわち，映像からクリップを抽出するときに，一般には，映像を再生（早送りや巻き戻しなども含めて）しながら再生位置を確認し，クリップの開始点と終了点を決める。本発明は，この操作性の向上を図ったもので，画面上でのポインティング位置に応じて，再生のスピードの変更，停止，巻き戻しなどの再生方法が決まるようにするとともに，そのポインティング位置が予め設定された特定のエリア内である場合に，クリップの開始点と終了点が決まるようにしたことを特徴とする。
【００１０】
詳しくは，本発明の映像編集装置は，映像の再生方法を制御する映像再生制御手段と，映像の特定の時間区間であるクリップを選定するクリップ選定手段と，映像の再生方法とクリップの設定に関する利用者からの指示を受け付ける利用者要求受付手段とを設け，利用者要求受付手段で受け付けた利用者からの１回の指示に基づいて，映像再生制御手段は映像再生方法を決定し，クリップ選定手段はクリップの開始点または終了点の設定を行う構成とした。
【００１１】
本発明は，映像内容を提示する画面において，映像の再生制御方法を指定するためのポインティングを行う映像再生制御エリアと，映像再生制御エリア内にクリップ選定のためのポインティングを行うクリップ指定エリアとを予め設定しておき，前記映像再生制御手段は，映像再生制御エリア内でポインティングされた位置に基づいて映像の再生方法を決定し，前記クリップ選定手段は，クリップ指定エリア外の位置をポインティングした直後にクリップ指定エリア内の位置をポインティングしたときに再生されている映像時刻をクリップの開始点とし，クリップ指定エリア内の位置をポインティングした直後にクリップ指定エリア外の位置をポインティングしたときに再生されている映像時刻をクリップの終了点とする。
【発明の効果】
【００１２】
本発明によれば，映像の再生方法の指定と，クリップの開始点または終了点の設定に関する利用者からの指示を１回の操作で行えるので，映像編集における操作回数を減らすことができるという効果があり，特に，映像再生を停止することなく連続して作業を行うことができるようになるので，映像編集を効率的に行うことが可能となる。
【図面の簡単な説明】
【００１３】
【図１】本発明の一実施形態に係る映像編集装置の構成例を示す図である。
【図２】映像編集操作を行う画面の例を示す図である。
【図３】映像再生方法の設定例を示す図である。
【図４】映像編集処理のフローチャートである。
【図５】全体の動作例を説明するための図である。
【発明を実施するための形態】
【００１４】
以下，図面を用いながら，本発明の実施の形態を説明する。図１は，本発明の一実施形態に係る映像編集装置の構成例を示す図である。映像編集装置１０は，ＣＰＵやメモリ等のハードウェアとソフトウェアプログラムとによって構成され，映像受付部１１，データ蓄積管理部１２，データ記憶装置１２０，利用者提示情報作成部１３，表示制御部１４，利用者要求受付部１５，映像再生制御部１６，クリップ選定部１７を備える。映像編集装置１０には，表示装置２０とマウスやタッチパネルその他のポインティングデバイス３０が接続される。
【００１５】
映像受付部１１は，編集の対象となる映像を利用者から受け付け，受け付けた映像をデータ蓄積管理部１２に出力する。
【００１６】
データ蓄積管理部１２は，映像受付部１１から受け取る映像データ，およびクリップ選定部１７から受け取るクリップデータを，データ記憶装置１２０に記憶しておき，利用者提示情報作成部１３からの要求に応じて映像データやクリップデータを利用者提示情報作成部１３に出力する。
【００１７】
利用者提示情報作成部１３は，利用者に提示する映像データやクリップデータをデータ蓄積管理部１２に要求してデータ記憶装置１２０から読み出し，利用者に提示する情報を作成する。このとき，映像再生制御部１６から映像再生方法を受け付けた場合には，必要な映像再生を実行するように利用者への提示情報を作成する。作成した情報を表示制御部１４に出力する。表示制御部１４は，利用者提示情報作成部１３から受け取った情報を表示装置２０に表示し，利用者に提示する。
【００１８】
利用者要求受付部１５は，映像編集に関する利用者からの要求をポインティングデバイス３０から受け取り，受け取った要求を映像再生制御部１６とクリップ選定部１７にそれぞれ出力する。
【００１９】
映像再生制御部１６は，利用者要求受付部１５から利用者の要求を受け取ると，受け取った利用者の要求に応じた映像再生方法を決定し，決定した映像再生方法を利用者提示情報作成部１３に出力する。
【００２０】
クリップ選定部１７は，利用者要求受付部１５から利用者の要求を受け取ると，受け取った利用者の要求に応じたクリップ選定を行い，選定したクリップデータをデータ蓄積管理部１２に出力する。データ蓄積管理部１２は，受け取ったクリップデータをデータ記憶装置１２０に格納し，管理する。
【００２１】
次に，利用者からの要求に応じて映像編集に必要なクリップ選定を行う処理手順を説明する。本実施形態では，表示装置２０の画面に対して，利用者がポインティングデバイス３０によりポインティングした位置データを利用者からの要求とする場合について説明する。
【００２２】
本実施形態において，映像再生制御部１６における，利用者がポインティングした位置データから映像再生制御の方法を決定する方法を，図２と図３に従って説明する。
【００２３】
図２は，映像再生画面を基準に設定した映像再生制御エリアとクリップ指定エリアの例を示している。図２において，４０は映像編集操作を行う全体の画面，４１は編集対象となる映像を再生する映像再生画面，４２は映像再生制御エリア，４３はクリップ指定エリアを表している。
【００２４】
映像再生画面４１は映像再生を行うエリアで，ここに映像内容が再生表示される。映像再生画面４１を含む上下に拡大したエリアが映像再生制御エリア４２で，利用者はマウスによるクリックまたはタッチパネルへのタッチなどにより，ここをポインティングすることによって映像の再生方法を変更できる。
【００２５】
映像再生制御部１６が，ポインティングされる位置により再生速度を決定する例を図３に示す。この例では，映像再生制御エリア４２を左右に２等分し，右側にポインティングされたときには順次方向に再生し，左側にポインティングされたときには逆方向に再生する。さらに，映像再生制御エリア４２の左右両端に近づくほど再生速度を大きくする。また，映像再生制御エリア４２を上下に２等分し，上部にポインティングされたときには，図３（Ｂ）に示すように停止から高速再生，下部にポインティングされたときには，図３（Ｃ）に示すようにスロー再生の範囲で再生速度を変える。
【００２６】
映像の再生方法が変更できるエリア以外にポインティングされたときには映像再生を停止する。
【００２７】
次に，クリップ選定部１７における，利用者がポインティングした位置データからクリップを選定する方法を以下に示す。この例では，図２において，映像再生制御エリア４２の中にある映像再生画面４１をクリップ指定エリア４３としている。クリップ選定部１７は，クリップ指定エリア４３外の位置がポインティングされた直後にクリップ指定エリア４３内がポインティングされたときに，その再生時刻をクリップの開始点とする。また，クリップ指定エリア４３内がポインティングされた直後に，クリップ指定エリア４３外がポインティングされたときに，その再生時刻をクリップの終了点とする。クリップ設定において，クリップの終了点が開始点よりも前の時刻に設定された場合には，このクリップ設定を無効とする。
【００２８】
画面上にポインティングされた位置から上記の方法で映像再生制御，およびクリップ設定を行う場合の，全体の処理手順を図４に示す。
【００２９】
まず，ステップＳ１０１では，編集の対象となる映像を映像受付部１１により読み取る。読み取った映像は，データ蓄積管理部１２がデータ記憶装置１２０に蓄積する。
【００３０】
ステップＳ１０２では，利用者提示情報作成部１３がデータ蓄積管理部１２を介してデータ記憶装置１２０に記憶された映像を読み取り，利用者に提示する情報を作成し，表示制御部１４を介して表示装置２０に映像を提示する。
【００３１】
ステップＳ１０３では，利用者要求受付部１５により利用者からのポインティングデバイス３０によるポインティングの受付を行う。
【００３２】
ステップＳ１０４では，映像再生制御部１６により映像再生制御を行うかどうかを，ポインティングの位置データによって判定する。映像再生制御を行う場合にはステップＳ１０５へ進み，行わない場合にはステップＳ１０６へ進む。
【００３３】
ステップＳ１０５では，映像再生制御部１６により映像再生方法を決定し，利用者提示情報作成部１３に再生方法を指示する。利用者提示情報作成部１３は，指示された再生方法に応じて映像の再生データを作成し，表示制御部１４へ出力する。
【００３４】
ステップＳ１０６では，クリップ選定部１７によりクリップ設定を行うかどうかを，ポインティングの位置データによって判定する。クリップ設定を行う場合にはステップＳ１０７へ進み，行わない場合にはステップＳ１０８へ進む。
【００３５】
ステップＳ１０７では，クリップ選定部１７によりクリップの開始点または終了点の設定を実行し，開始点および終了点を示すクリップデータをデータ蓄積管理部１２に通知し，データ記憶装置１２０に格納する。利用者提示情報作成部１３は，必要なクリップを提示した画面を作成し，表示制御部１４を介して表示装置２０に提示する。
【００３６】
ステップＳ１０８では，処理を終了する要求が入力されたかどうかを判定し，処理を終了する要求が入力されていないときには，ステップＳ１０３へ戻って同様に処理を繰り返す。処理を終了する要求が入力されたときには処理を終了する。
【００３７】
次に，図５に従って，全体の動作例について説明する。図４のステップＳ１０２で図５に示すように映像が提示され，ステップＳ１０３での利用者のポインティングが図５に示すＰ１からＰ７の位置に順番にポインティングされたときに，表示装置２０の画面に反映される動作は，以下のとおりとなる。
・Ｐ１：背景に相当するエリアのＰ１がタッチされたので映像再生停止。
・Ｐ２：クリップ指定エリア４３Ａ外で，映像再生制御エリア４２Ａ内の下部・右側のＰ２がタッチされると，映像Ａのみ再生する。スロー再生で時間方向に再生される。
・Ｐ３：クリップ指定エリア４３Ａ外で，映像再生制御エリア４２Ａ内の上部・右側のＰ３がタッチされると，映像Ａのみ高速再生に変更する。
・Ｐ４：クリップ指定エリア４３Ａ内の上部・右側のＰ４がタッチされると，その時刻を映像Ａのクリップの開始時刻として管理する。
・Ｐ５：クリップ指定エリア４３Ａ内の上部・左側のＰ５がタッチされると，巻き戻し再生を行う。
・Ｐ６：クリップ指定エリア４３Ａ内の下部・右側のＰ６がタッチされると，スロー再生に変更する。
・Ｐ７：背景に相当するエリアのＰ７がタッチされると，その時刻を映像Ａのクリップの終了時刻として管理し，映像再生を停止する。なお，映像再生を停止させないで，クリップの終了点を設定する場合には，映像再生制御エリア４２Ａ内で，クリップ指定エリア４３Ａ外の位置（例えばＰ２の位置）をタッチすればよい。
【００３８】
以上の説明とおり，画面上で１回のタッチを行うだけで映像再生制御とクリップ選定を行うことができるので，効率的な映像編集が行える。
【００３９】
データ蓄積管理部１２が管理するデータ記憶装置１２０に記憶されたクリップデータを読み込むことで，クリップが設定されたときに，既に選定されたクリップとともに利用者に提示することも有効である。画面４０の下部の，選定されたクリップ４５は，選定したクリップを選定した時間順にリスト化して利用者に提示した例を示している。
【００４０】
なお，図５に示す画面４０の上部にあるメニューバーにおいて，「映像ファイル選択」は，編集対象の映像が格納されたファイルを選択するメニューである。「映像編集結果ロード」は，映像編集結果のクリップデータを読み出すことを指定するメニューである。「編集映像作成」は，映像を再生しながらクリップを選定して編集映像を作成することを指定するメニューである。「映像選択結果記録モード」は，選定したクリップデータを映像編集の途中で記録しておくことを指定するメニューである。「同期・非同期再生」は，複数の映像を同期させて再生するか同期させないで再生するかを指定するメニューである。「編集結果保存」は，それまでの映像の編集結果をデータ蓄積管理部１２が管理するデータ記憶装置１２０に保存することを指定するメニューである。
【００４１】
以上の映像編集の処理は，コンピュータとソフトウェアプログラムとによっても実現することができ，そのプログラムをコンピュータ読み取り可能な記録媒体に記録することも，ネットワークを通して提供することも可能である。
【符号の説明】
【００４２】
１０  映像編集装置
１１  映像受付部
１２  データ蓄積管理部
１２０  データ記憶装置
１３  利用者提示情報作成部
１４  表示制御部
１５  利用者要求受付部
１６  映像再生制御部
１７  クリップ選定部
２０  表示装置
３０  ポインティングデバイス
【図１】
2012049840.tif 000003
【図２】
2012049840.tif 000004
【図３】
2012049840.tif 000005
【図４】
2012049840.tif 000006
【図５】
2012049840.tif 000007